(57)【要約】【課題】安全性の向上と美観の向上を両立させた発光体付きヘルメットを提供する。【解決手段】 発光体付きヘルメット１０は、帽体１２の前方に装着された発光体と、帽体１２の後方に装着された電源供給体を備え、発光体は、帽体の前方を照射して視界を確保するための前照灯１６と、被視認性を確保するための位置灯１８によって構成されており、透光性を有する薄板状の発光体カバー２０で覆われている。発光体カバー２０は、帽体１２の外表面に突出しないように薄く形成され、また、エッヂの部分は面取り加工がなされ、帽体１２の外表面に凹凸や角部を表出させないように配慮されている。【選択図】図１
2019007108.tif 000002
【特許請求の範囲】
【請求項１】
帽体の前方に装着された発光体と、
前記帽体の後方に装着された電源供給体を備え、
前記発光体が、帽体の前方を照射して視界を確保するための第一の発光体と、被視認性を確保するための第二の発光体によって構成され、
前記第一の発光体および前記第二の発光体が、透光性を有する薄板状のカバーで覆われていることを特徴とする、
発光体付きヘルメット。
【請求項２】
前記第二の発光体が、ＬＥＤを使用したライン状の発光体であることを特徴とする、
請求項１に記載の発光体付きヘルメット。
【請求項３】
前記第二の発光体が、ＬＥＤを内蔵したチューブ状の発光体であることを特徴とする、
請求項２に記載の発光体付きヘルメット。
【請求項４】
前記第二の発光体が、アクリル板の面発光による発光体であることを特徴とする、
請求項２記載の発光体付きヘルメット。
【発明の詳細な説明】
【技術分野】
【０００１】
本発明は、安全性の向上と美観の向上を両立させた発光体付きヘルメットに関する。
【背景技術】
【０００２】
従来、ヘルメット着用時の安全性を向上させるための取り組みが行われている。例えば、特許文献１および２には、ヘルメットに発光体を取り付けて被視認性を高めることによって着用者の存在を周囲に注意を喚起するという技術が開示されている。発光体には美観の向上と被視認性の向上の両方の観点からファイバー状やチューブ状のものが用いられており、他者から容易に視認できる位置に装着するように構成されている。
【先行技術文献】
【特許文献】
【０００３】
【特許文献１】特開２０１５−１６６５０８号公報
【特許文献２】特開２００９−１３５３８号公報
【発明の概要】
【発明が解決しようとする課題】
【０００４】
ところで、工事現場や作業現場で使用されるヘルメットは、しばしば工作物や建材等と接触することがあるため、ヘルメットに発光体を取り付ける場合には、接触事故等によって破損しないように十分に考慮しなければならない。また、ヘルメットに発光体を後付けする場合、発光体や発光体を取り付けるための部材などが突出し、ヘルメットの外表面に顕著な凹凸を形成することがある。このような凹凸があると作業現場に散在するコードやロープが引っ掛かりやすくなるため、発光体が破損するなどの不具合だけでなく、状況によっては作業員が危険に晒されることにもなりかねない。このような事故を未然に防止するためには、発光体およびその付属品等がヘルメットの外表面に顕著な凹凸を形成しないようにしなければならない。
【課題を解決するための手段】
【０００５】
本発明は、前述した課題を解決するために、工事現場や作業現場において安全に使用することができるように、外表面に顕著な凹凸を形成しない発光体付きヘルメットを提供するものである。
【０００６】
本発明の一つの態様は、 帽体の前方に装着された発光体と、前記帽体の後方に装着された電源供給体を備え、前記発光体が、帽体の前方を照射して視界を確保するための第一の発光体と、被視認性を確保するための第二の発光体によって構成され、前記第一の発光体および前記第二の発光体が、透光性を有する薄板状のカバーで覆われていることを特徴とする、発光体付きヘルメットである。
【０００７】
発光体を薄板状のカバーで覆うことにより、発光体が帽体の外表面に突出して凹凸を形成することがなくなる。発光体および電源供給体を取り付けることでヘルメットの重量が増えるが、それぞれ前方すなわち着用時に前頭部側となる側と、帽体の後方すなわち着用時に後頭部側となる側に振り分けて取り付けるため、前後の重量バランスが取りやすくなり、着用時の不快感や違和感を軽減することができる。
【０００８】
第二の光源は、より広範囲からの被視認性を高めるために、ＬＥＤを使用したライン状の発光体であることが望ましい。ライン状の発光体であれば、帽体の前方から側方にかけて細長い光の線を廻らすことができるため、前方および側方からの被視認性の向上が期待できる。この細長い光の線を形成するためには、ＬＥＤを内蔵したチューブ状の発光体やアクリル板の面発光による発光体を用いることができる。
【発明の効果】
【０００９】
本発明によれば、安全性の向上と美観の向上を両立させた発光体付きヘルメットを提供することができ、ヘルメットの外表面に顕著な凹凸が形成されないため、工事現場や作業現場において安全に使用することができる。
【図面の簡単な説明】
【００１０】
【図１】発光体付きヘルメットの前方斜視図
【図２】発光体付きヘルメットの後方斜視図
【発明を実施するための形態】
【００１１】
ここから、発光体付きヘルメットの実施形態について説明する。ここでは工事用ヘルメットを例にとって説明するが、本発明の適用範囲は工事用のものには限られず、作業用、乗車用、スポーツ用、軍用など他の様々な用途のヘルメットに対しても本発明の適用が可能である。
【００１２】
最初に、発光体付きヘルメットの構成について、図１および図２を参照しながら説明する。発光体付きヘルメット１０の帽体１２は人体の頭部を覆う殻となる。帽体の素材には、ＦＲＰ、ポリカーボネイト、ＡＢＳ、ポリエチレン等があり、用途に応じて素材の選択が可能である。ＦＲＰ製のヘルメットは、耐候性、耐熱性に優れ、災害備蓄用に最適ではあるが、電気用としては適さない。ポリカーボネイト製のヘルメットは、光沢があり強度が非常に高く、耐候性、耐電性に優れる。ＡＢＳ製のヘルメットは、特に耐電性に優れるが、高熱環境や有機系薬品を使用する環境下においては適さない。ポリエチレン製のヘルメットは、有機系薬品に耐性があり、塗装作業等に最適である。
【００１３】
帽体１２の前方には、アクリル素材で形成された鍔部１４が取り付けられている。アクリル素材である鍔部１４は無色透明であり、帽体１２の他の部位との色調の違いが明確になるため、これまで無骨なデザインが多かった工事用ヘルメットとは一線を画した個性的な外観を呈している。なお、鍔部１４は帽体１２に対して着脱ができるため、色付きのものと交換することも可能であり、またアクリル素材以外の素材のものと交換して使用することもできる。
【００１４】
鍔部１４の上方には、前照灯１６および位置灯１８が取り付けられている。前照灯１６は、屋内作業時や夜間作業時などに前方を照射してヘルメット着用者の視界を確保するものであり、複数のＬＥＤが縦横に並列するように基盤に実装された全体として矩形状の発光体である。位置灯１８は、他者からの被視認性を確保することでヘルメット着用者の安全性の向上に寄与するものであり、複数のＬＥＤが一方向（横方向）に並列するように基盤に実装された全体として棒状の発光体である。位置灯１８は前照灯１６の上方に配置されており、帽体１２の前方から両側方に向けて緩やかに上行カーブを描くような形状に配置されている。
【００１５】
前照灯１６および位置灯１８は、アクリル素材で形成された発光体カバー２０によって被覆されている。発光体カバー２０は無色透明の部材であり、前照灯１６および位置灯１８による発光をほとんど阻害することなく透過させる。発光体カバー２０は、帽体１２の前方から両側方に向けて延びる帯状の部材であり、両側方に向けて緩やかに上行カーブを描くとともに上下方向の幅が漸次小さくなるように形成されており、シャープな印象を与える外観を呈している。発光体カバー２０は、帽体１２の外表面に突出しないように薄く形成され、また、エッヂの部分は面取り加工がなされ、極力、帽体１２の外表面に凹凸や角部を表出させないように配慮されている。なお、発光体カバー２０と帽体１２との境界部には防水パッキンや防水テープ等の防水処理が施されている。
【００１６】
帽体１２の左側方には、スイッチ２２が取り付けられている。ヘルメット着用者によるスイッチ２２の操作により、前照灯１６および位置灯１８の点灯および消灯を切り替えるほか、点灯時の態様を切り替えることができる。
【００１７】
帽体１２の後方には、バッテリーケース２４が取り付けられている。バッテリーケース２４には、リチウムイオン電池等の充電が可能な二次電池のほか、マンガン乾電池やアルカリ乾電池等の一次電池を装着することができる。バッテリーケース２４のエッヂ部分についても、Ｒ付けや面取り加工がなされており、極力、帽体１２の外表面に凹凸や角部を表出させないように配慮されている。バッテリーケース２４の開口部と蓋２６との境界部には防水パッキンや防水テープ等の防水処理が施されている。
【符号の説明】
【００１８】
１０  ヘルメット
１２  帽体
１４  鍔部
１６  前照灯
１８  位置灯
２０  発光体カバー
２２  スイッチ
２４  バッテリーボックス
２６  蓋
【図１】
2019007108.tif 000003
【図２】
2019007108.tif 000004